(57)【要約】【課題】信号を伝送するケーブルのケーブル長に応じて信号品質を容易に改善することができるリピータ技術を提供することである。【解決手段】リピータ装置は、信号を伝送するケーブルのケーブル長に応じた複数のリピータ関連パラメータを格納するリピータ関連パラメータ格納部と、使用される前記ケーブルの前記ケーブル長に応じて前記リピータ関連パラメータ格納部を参照して前記複数のリピータ関連パラメータのうちから前記リピータ関連パラメータを決定するリピータ関連パラメータ決定部と、決定された前記リピータ関連パラメータを設定するリピータ関連パラメータ設定部を有する。【選択図】図４
2018156143.tif 000002
【特許請求の範囲】
【請求項１】
信号を伝送するケーブルのケーブル長に応じた複数のリピータ関連パラメータを格納するリピータ関連パラメータ格納部と、
使用される前記ケーブルの前記ケーブル長に応じて前記リピータ関連パラメータ格納部を参照して前記複数のリピータ関連パラメータのうちから前記リピータ関連パラメータを決定するリピータ関連パラメータ決定部と、
決定された前記リピータ関連パラメータを設定するリピータ関連パラメータ設定部と、を有することを特徴とするリピータ装置。
【請求項２】
前記リピータ関連パラメータ格納部は、前記ケーブル長と前記少なくとも１つのリピータ関連パラメータを関連付けて格納するデータ構造を有することを特徴とする請求項１記載のリピータ装置。
【請求項３】
前記ケーブル長に応じた伝送パラメータを設定するインターフェースチップと、
前記インターフェースチップの前記伝送パラメータに基づいて前記ケーブル長を検出するケーブル長検出部と、
を有することを特徴とする請求項１または２記載のリピータ装置。
【請求項４】
使用されるケーブルのケーブル長に応じて複数のリピータ関連パラメータのうちから前記リピータ関連パラメータを決定するリピータ関連パラメータ決定部と、
決定された前記リピータ関連パラメータを設定するリピータ関連パラメータ設定部と、を有することを特徴とするリピータチップ。
【請求項５】
使用されるケーブルのケーブル長に応じた伝送パラメータを設定するインターフェースチップと、
前記インターフェースチップの前記伝送パラメータに基づいて前記ケーブル長を検出するケーブル長検出部と、
前記ケーブル長に応じて複数のリピータ関連パラメータのうちから前記リピータ関連パラメータを決定するリピータ関連パラメータ決定部と、
決定された前記リピータ関連パラメータを設定するリピータ関連パラメータ設定部と、を有することを特徴とするカード装置。
【請求項６】
請求項５記載の少なくとも１つのカード装置を含むことを特徴とする信号伝送装置。
【請求項７】
信号を伝送するケーブルのケーブル長に応じた複数のリピータ関連パラメータを格納し、
使用される前記ケーブルの前記ケーブル長に応じて前記複数のリピータ関連パラメータのうちから前記リピータ関連パラメータを決定し、
決定された前記リピータ関連パラメータを設定する、
ことを含むことを特徴とするリピータ関連パラメータの設定方法。
【請求項８】
信号を伝送するケーブルのケーブル長に応じた複数のリピータ関連パラメータを格納する機能と、
使用される前記ケーブルの前記ケーブル長に応じて前記複数のリピータ関連パラメータのうちから前記リピータ関連パラメータを決定する機能と、
決定された前記リピータ関連パラメータを設定する機能と、
をコンピュータに実行させることを特徴とするリピータ関連パラメータの設定プログラム。
【発明の詳細な説明】
【技術分野】
【０００１】
本発明は、リピータ装置、リピータチップ、カード装置、信号伝送装置、リピータ関連パラメータ設定方法およびリピータ関連パラメータ設定プログラムに関する。
【背景技術】
【０００２】
ケーブルを用いた筐体間接続により信号を伝送する装置、例えば、ディスクアレイ装置またはサーバシステムにおいて、伝送される信号の品質を改善するためにリピータが用いられている。
【０００３】
リピータチップを用いた接続構成の一例を下記に示す：
インターフェース（Ｉ／Ｆ）チップ  −  リピータチップ  −  ケーブル  −  インターフェースチップ。
【０００４】
ケーブル伝送では、ケーブルが長いほど信号の減衰量が大きくなり、信号品質が低下する。信号品質を確保するために、インターフェースチップの伝送パラメータの最適化が図られている。
【先行技術文献】
【特許文献】
【０００５】
【特許文献１】特開２００８−０４１０５０号公報（段落００４３参照）
【発明の概要】
【発明が解決しようとする課題】
【０００６】
なお、上記文献の開示を本書に引用をもって繰り込む。以下に上述した関連技術の分析を与える。
【０００７】
伝送信号の高速化に伴い、インターフェースチップの伝送パラメータの最適化だけでは信号品質を確保できない場合がある。このような場合には、職人的技術に基づくマザーボードのレイアウト設計変更、より良い特性を持つＰＣＢ（プリント回路基板）材質への変更、使用するケーブル長の制限などの手法により、信号品質の確保が図られている。しかしながら、上記手法は、属人的設計手法に依存するものである。したがって、コスト増加、装置の設置場所の制限による使用機会の低下を招くおそれがある。
【０００８】
なお、特許文献１には、リピータが、管理端末から「パワーマネジメントパラメータ」を受信して設定する例が開示されている。パワーマネジメントパラメータは、「アクセス待機時間」、「最小駆動台数」、「再起動間隔」、および「全体のＩ／Ｏアクセス量」である。したがって、設定されるパラメータは、信号の伝送に関わるパラメータではない。
【０００９】
本発明は、上記課題に鑑みて創案されたものであって、その目的の一つは、信号を伝送するケーブルのケーブル長に応じて信号品質を容易に改善することができるリピータ技術を提供することである。その他の目的および効果等は、本開示から当業者に明らかになるであろう。
【課題を解決するための手段】
【００１０】
本発明の一つの視点によれば、信号を伝送するケーブルのケーブル長に応じた複数のリピータ関連パラメータを格納するリピータ関連パラメータ格納部と、使用される前記ケーブルの前記ケーブル長に応じて前記リピータ関連パラメータ格納部を参照して前記複数のリピータ関連パラメータのうちから前記リピータ関連パラメータを決定するリピータ関連パラメータ決定部と、決定された前記リピータ関連パラメータを設定するリピータ関連パラメータ設定部と、を有することを特徴とするリピータ装置が提供される。
【００１１】
上記装置は、例えば、半導体チップ、ファームウェア、スイッチ、プログラム等を記憶したコンピュータ読み出し可能な記録媒体（例えばＨＤＤ（Ｈａｒｄ  Ｄｉｓｋ  Ｄｒｉｖｅ）、ＣＤ（Ｃｏｍｐａｃｔ  Ｄｉｓｋ）／ＤＶＤ（Ｄｉｇｉｔａｌ  Ｖｅｒｓａｔｉｌｅ  Ｄｉｓｋ）、半導体ストレージデバイス等のｎｏｎ−ｔｒａｎｓｉｔｏｒｙ  ｃｏｍｐｕｔｅｒ  ｒｅａｄａｂｌｅ  ｒｅｃｏｒｄｉｎｇ  ｍｅｄｉｕｍ）の少なくとも一つを用いて構成することができるが、これに限定されるものではない。
【００１２】
本発明の一つの視点によれば、信号を伝送するケーブルのケーブル長に応じた複数のリピータ関連パラメータを格納するリピータ関連パラメータ格納部と、使用される前記ケーブルの前記ケーブル長に応じて前記リピータ関連パラメータ格納部を参照して前記複数のリピータ関連パラメータのうちから前記リピータ関連パラメータを決定するリピータ関連パラメータ決定部と、決定された前記リピータ関連パラメータを設定するリピータ関連パラメータ設定部と、を有することを特徴とするリピータ装置が提供される。
【００１３】
本発明の一つの視点によれば、使用されるケーブルのケーブル長に応じて複数のリピータ関連パラメータのうちから前記リピータ関連パラメータを決定するリピータ関連パラメータ決定部と、決定された前記リピータ関連パラメータを設定するリピータ関連パラメータ設定部と、を有することを特徴とするリピータチップが提供される。
【００１４】
本発明の一つの視点によれば、使用されるケーブルのケーブル長に応じた伝送パラメータを設定するインターフェースチップと、前記インターフェースチップの前記伝送パラメータに基づいて前記ケーブル長を検出するケーブル長検出部と、前記ケーブル長に応じて複数のリピータ関連パラメータのうちから前記リピータ関連パラメータを決定するリピータ関連パラメータ決定部と、決定された前記リピータ関連パラメータを設定するリピータ関連パラメータ設定部と、を有することを特徴とするカード装置が提供される。
【００１５】
本発明の一つの視点によれば、少なくとも１つの前記カード装置を含むことを特徴とする信号伝送装置、例えば、ディスクアレイ装置、サーバ等が提供される。
【００１６】
本発明の一つの視点によれば、信号を伝送するケーブルのケーブル長に応じた複数のリピータ関連パラメータを格納し、使用される前記ケーブルの前記ケーブル長に応じて前記複数のリピータ関連パラメータのうちから前記リピータ関連パラメータを決定し、決定された前記リピータ関連パラメータを設定する、ことを含むことを特徴とするリピータ関連パラメータの設定方法が提供される。
【００１７】
本発明の一つの視点によれば、信号を伝送するケーブルのケーブル長に応じた複数のリピータ関連パラメータを格納する機能と、使用される前記ケーブルの前記ケーブル長に応じて前記複数のリピータ関連パラメータのうちから前記リピータ関連パラメータを決定する機能と、決定された前記リピータ関連パラメータを設定する機能と、をコンピュータに実行させることを特徴とするリピータ関連パラメータの設定プログラムが提供される。
【００１８】
また、上記プログラム等を記憶したコンピュータ読み出し可能な記録媒体（例えばＨＤＤ（Ｈａｒｄ  Ｄｉｓｋ  Ｄｒｉｖｅ）、ＣＤ（Ｃｏｍｐａｃｔ  Ｄｉｓｋ）／ＤＶＤ（Ｄｉｇｉｔａｌ  Ｖｅｒｓａｔｉｌｅ  Ｄｉｓｋ）、半導体ストレージデバイス等のｎｏｎ−ｔｒａｎｓｉｔｏｒｙ  ｃｏｍｐｕｔｅｒ  ｒｅａｄａｂｌｅ  ｒｅｃｏｒｄｉｎｇ  ｍｅｄｉｕｍ）が提供される。
【発明の効果】
【００１９】
本発明の一つの視点によれば、信号を伝送するケーブルのケーブル長に応じて信号品質を容易に改善することができるリピータ技術を提供することができる。
【図面の簡単な説明】
【００２０】
【図１】一実施形態に係るリピータ技術を適用可能な信号伝送装置の一例を示す図である。
【図２】関連技術１〜３と一実施形態によるパラメータ設定方法の相違点を説明するための表である。
【図３】関連技術３と一実施形態による信号伝送品質の相違点を説明するための表である。
【図４】一実施形態に係るリピータ装置の動作を説明するための図である。
【図５】図４に示したリピータ装置の詳細例を説明するための図である。
【図６】図５に示したリピータ装置の動作例を説明するための図である。
【図７】一実施形態に係るリピータ関連パラメータの一例を示す表である。
【図８】一実施形態に係るリピータ技術の基本概念を説明する図である。
【発明を実施するための形態】
【００２１】
一実施形態に係るリピータ技術の基本概念を説明する。図８を参照して、リピータ装置は、リピータ関連パラメータ格納部８１、リピータ関連パラメータ決定部８２およびリピータ関連パラメータ設定部８３を有する。
【００２２】
リピータ関連パラメータ格納部８１は、信号を伝送するケーブルのケーブル長に応じた複数のリピータ関連パラメータを格納する。
【００２３】
リピータ関連パラメータ決定部８２は、使用されるケーブルのケーブル長に応じてリピータ関連パラメータ格納部８２を参照して複数のリピータ関連パラメータのうちから、使用されるケーブル長に対応するリピータ関連パラメータを決定する。
【００２４】
リピータ関連パラメータ設定部８３は、決定されたリピータ関連パラメータを、リピータ装置、例えば図１に示すようなリピータチップ２２に設定する。
【００２５】
一実施形態のリピータ技術によれば、カード間などを接続するケーブルのケーブル長に応じて、リピータ装置のパラメータを自動的に設定することができる。これによって、伝送される信号品質を簡単に改善することができる。
【００２６】
一実施形態のリピータ技術は、ケーブルを使用する信号伝送、中でも高速信号伝送を実装するディスクアレイ装置などのストレージ装置、またはそれを有するまたはそれに接続されるサーバなどに広く適用することができる。一実施形態のリピータ技術は、ＳＡＳ（Ｓｅｒｉａｌ  Ａｔｔａｃｈｅｄ  ＳＣＳＩ）信号伝送、またはＰＣＩｅ（ＰＣＩ  Ｅｘｐｒｅｓｓ）などの高速信号伝送に好適に適用できるが、適用範囲はこれに限定されるものではない。
【００２７】
次に、一実施形態に係るリピータ技術を適用可能な信号伝送装置の一例を説明する。図１の上部を参照して、この信号伝送装置は、ディスクアレイコントローラ（例えばサーバ）側のカード（カード装置）１と、ディスクエンクロージャ（ハードディスクＨＤＤ）側のカード（カード装置）２をケーブル３を介して信号が伝送されるように接続している。
【００２８】
図１の下部を参照して、カード１はインターフェース（Ｉ／Ｆ）チップ１１を実装し、カード２はインターフェースチップ２１およびリピータチップ２２を実装している。インターフェース（Ｉ／Ｆ）チップ１１とインターフェースチップ２１は、ケーブル３およびリピータチップ２２を介して信号が伝送されるように接続されている。
【００２９】
インターフェースチップ１１，２１間に配置され、信号の減衰を補償する機能を有するリピータ装置またはリピータチップとしては、リピータ／リドライバ／リタイマなどのＬＳＩ製品があるが、これに限定されるものではない。このようなリピータチップなどのＬＳＩチップは、ＳＡＳ通信の場合、ＳＡＳコントローラまたはＳＡＳスイッチＬＳＩチップ  −  ＳＡＳケーブル  −  ＳＡＳスイッチＬＳＩチップ間の経路の途中に、コントローラボード上に設計段階で配置することができる。
【００３０】
リピータ装置またはリピータチップは、ＳＡＳ信号の減衰を補償するために、入出力ＳＡＳ波形に対してイコライザやエンファシスをかける動作をする。イコライザまたはエンファシスは、可変パラメータとしてユーザが１つの組み合わせを設定できる。本実施形態の場合、これらの可変パラメータは、少なくともケーブル長、さらにはボード設計等に応じて設定することができる。
【００３１】
ここで、上述した信号伝送装置に適用されている、信号品質を確保するための関連技術１〜３を紹介し、さらに一実施形態と対比する。
【００３２】
(関連技術１)
・接続構成：Ｉ／Ｆチップ  −  ケーブル  −  Ｉ／Ｆチップ
Ｉ／Ｆチップの伝送パラメータは固定値をとる。
【００３３】
（関連技術２）
・接続構成：Ｉ／Ｆチップ  −  ケーブル  −  Ｉ／Ｆチップ
Ｉ／Ｆチップの伝送パラメータはネゴシエーションにより最適値をとる。
【００３４】
（関連技術３）
・接続構成：  Ｉ／Ｆチップ  −  ケーブル  −  リピータチップ  −  Ｉ／Ｆチップ
Ｉ／Ｆチップの伝送パラメータはネゴシエーションにより最適値をとる；
リピータチップの伝送パラメータは固定値をとる。
【００３５】
（一実施形態）
・接続構成：  Ｉ／Ｆチップ  −  ケーブル  −  リピータチップ  −  Ｉ／Ｆチップ
Ｉ／Ｆチップの伝送パラメータはネゴシエーションにより最適値をとる；
リピータチップの伝送パラメータはネゴシエーションにより最適値をとる。
【００３６】
図２は、以上説明した関連技術１〜３と一実施形態とによるパラメータ設定方法の相違点を説明するための表である。
【００３７】
図２を参照すると、一実施形態だけが、リピータ関連パラメータ（リピータチップ伝送パラメータ）を変数とし、さらにケーブル長に応じて最適に設定可能であることがわかる。
【００３８】
図３は、関連技術１〜３のうちリピータチップを有する関連技術３と、一実施形態とによる信号伝送品質の相違点を説明するための表である。
【００３９】
図３を参照すると、関連技術３において、リピータ関連パラメータは、リピータチップの製造時に１つのパターンに設定され、実際に使用されるケーブル長に対応していない。このため、使用するケーブル長によっては信号の伝送品質が低下する場合がある。
【００４０】
これに対して、一実施形態によれば、リピータチップの製造後であっても、ケーブル長に応じてリピータ関連パラメータ（リピータパラメータ）を最適に設定可能である。したがって、ケーブル長が変更されても、リピータ関連パラメータの適応変更により、信号の伝送品質を確保することができる。
【００４１】
図４は、以上説明した一実施形態に係るリピータ装置の動作を説明するための図である。図４を参照すると、インターフェースチップ１１，２１間にケーブル３およびリピータチップ２２を接続した構成においては、ケーブル３のケーブル長を検出して、ケーブル長に基づいてリピータに最適な伝送パラメータを設定する。
【００４２】
インターフェースチップ２１は、信号伝送の状況に応じて伝送パラメータを設定する伝送パラメータ設定部（不図示）を有する。リピータチップ２２は、インターフェースチップ２１から設定された伝送パラメータを読み出し、予め用意されたテーブルを参照して読み出された伝送パラメータからケーブル長を判定することができる。リピータチップ２２は、例えば図８のリピータ関連パラメータ格納部８１を参照して、ケーブル長から設定すべきリピータ関連パラメータを決定し、決定されたリピータ関連パラメータを自身に適用することができる。
【００４３】
なお、接続されるケーブル長の検出には、特開２００８−２４２８６３号公報に開示されたような方法を用いてもよい。また場合によっては、インターフェースチップ２１が、ケーブル長に対応するリピータ関連パラメータを保持または読み出して、リピータチップ２２に転送してもよい。図４中、リピータ装置は、リピータチップ２２およびインターフェースチップ２１が実装されたカード２を含むが、これに限定されるものではなく、２つ以上のカードにわたって構成されてもよく、無線接続を介して構成されてもよい。
【００４４】
＜実施形態＞
本発明の例示的な実施形態について図面を参照して説明する。
【００４５】
図５は、一実施形態に係るリピータ技術をディスクアレイ装置に提供した例を示す。図５を参照して、カード１は送信側であり、例えばコントローラ側（図１参照）に実装される。カード２は受信側でありディスクアレイ装置側（図１参照）に実装される。カード１，２間にはケーブル３が接続されている。本例では、ケーブル伝送にはＳＡＳ１２Ｇｂｐｓの規格を用いるものとするが、これに限定されるものではない。一実施形態は、ＰＣＩｅなどの他のインターフェース伝送規格においても同様に適用できる。
【００４６】
カード１，２に実装された各要素は、ＨＷ（ハードウェア）、ＦＷ（ファームウェア）、および／またはＳＷ、あるいはソフトウェア、さらにはそれらの組合せによって構成することができる。
【００４７】
カード１は、インターフェースチップとしてＳＡＳチップ(1)１１と、カード１の制御部としてＣＰＵ（制御部）１３を搭載している。
【００４８】
カード２は、インターフェースチップとしてＳＡＳチップ(2)２１と、リピータチップ２２と、カード２の制御部としてＣＰＵ（制御部）２３を搭載している。さらに、リピータチップ２２等はケーブル長とリピータ関連パラメータを関連付けて格納しているテーブル２４を参照することができる。テーブル２４はカード２の内部にあることが好ましいが、他の場所にあってもよい。
【００４９】
ケーブル長をキーとしてテーブル２４を参照することにより、ケーブル長に対応した最適なリピータ関連パラメータ、例えば、信号の増幅率、所定周波数成分のフィルタに関するパラメータを最適に設定することができる。
【００５０】
カード１のＣＰＵ１３からカード２のＣＰＵ２３に向かって信号が伝送している場合、信号経路は、ＣＰＵ１３、ＳＡＳチップ１１、ケーブル３、リピータチップ２２、ＳＡＳチップ２１、ＣＰＵ２３の順となる。
【００５１】
図５中では、リピータチップ２２は受信側に配置されているが、送信側に配置されていてもよく、両側に配置されていてもよい。リピータチップ２２は、リピータチップ２２が搭載されているカード２に搭載されているインターフェースチップ（ＳＡＳチップ）２１から必要なパラメータを得ることが好ましい。
【００５２】
図５に示した装置の動作を図６のフローを参照しながら説明する。なお、使用されたケーブル長に応じてリピータ関連パラメータを設定するため、動作開始のタイミングはケーブルを介して伝送が開始されるタイミングである。
【００５３】
図５および図６を参照して、まずカード１，２間にケーブル３を接続する。Ｓ６０１で、リピータチップ２２は、最初にリピータ関連パラメータを最小値（パススルーモード）に設定する。この設定により、信号には補正がかからない状態となり、信号はリピータチップ２２をスルーする状況となる。
【００５４】
Ｓ６０２では、この状態でリピータチップ２２が初期化される。
【００５５】
Ｓ６０３では、ＳＡＳチップ１１，２１間の伝送をリンクアップさせ、続いて、ＳＡＳチップ２１の伝送パラメータ判定を実行する。
【００５６】
Ｓ６０４では、リピータチップ２２は、ＳＡＳチップ２１のケーブル長に応じて設定された伝送パラメータを読み出し、その伝送パラメータからケーブル３の実際のケーブル長を検出する。
【００５７】
リピータチップ２２は、Ｓ６０５ではケーブル長をキーとしてテーブル２４を参照し、Ｓ６０６ではケーブル長に対応したリピータ関連パラメータを決定する。
【００５８】
Ｓ６０７〜Ｓ６０８では、リピータチップ２２は、決定したリピータ関連パラメータを、ドライバ、ＦＷを用いて自身またはリピータ関連要素に設定する。
【００５９】
Ｓ６０９では、再度、チップの初期化を行い、ＳＡＳチップ１１，２１間の伝送パラメータの設定が完了する。
【００６０】
以上説明したフローでは、主として、リピータチップ２２が主体となって処理が進行したが、ＣＰＵ２３が主体となって処理を進行させてもよい。
【００６１】
図７は、図５に示したテーブル２４の内容の一例を説明する図である。テーブル２４に格納されるリンク関連パラメータは、予め評価機を用いて取得したデータに基づき設定することができる。
【００６２】
図７のデータ構造を参照すると、ケーブル３のケーブル長に対応するＳＡＳチップ２１の伝送パラメータ、ケーブル長、およびケーブル長に対応して最適化されたリピータチップ２２のリピータ関連パラメータが関連付けられて格納されている。ここで、ＳＡＳチップ２１の伝送パラメータのうち、ケーブル長が変わると、Ｔｘ＿Ａｍｐ（送信側増幅率）の値が変動していることがわかる。したがって、Ｔｘ＿Ａｍｐを読み出すことにより、接続されているケーブル３のケーブル長が推測できる。そして、実際のケーブル長に応じて最適化されたリピータ関連パラメータ、例えばイコライザ値を設定することができる。
【００６３】
一実施形態に係るリピータ技術によれば、まず、ケーブルを経由する高速信号伝送の信号品質向上の効果がある。事前評価により、使用カードにおけるインターフェースチップパラメータ、ケーブル長、リピータ関連パラメータの３者の相関を把握しテーブルを作成することにより、伝送規格に対する動作余裕を確保することが容易となる。
【００６４】
例えば設計による作り込みを経ても規格近傍での動作を回避できない場合にも、一実施形態に係るリピータ技術を用いて動作余裕を提供することができる。この結果、信号品質向上を実現できる。信号品質向上により、障害率の低下を見込むことができる。
【００６５】
その他の効果として、ケーブル長の変更に対し柔軟に対応できるため、装置の設置場所の制限が緩和され、装置の導入機会増加の効果もある。例えば、カード設計時に信号品質確保のために一般的に難易度が高く工数やコストのかかるインターフェースチップ、リピータチップ、ケーブルに接続されるコネクタを含むレイアウト制限の緩和の効果がある。同時に、長いケーブルに合わせた過度に特性の良い基板材の使用を避けることができ、コスト削減効果を見込むことができる。
【００６６】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【００６７】
特に制限されないが、実施形態及び変形例等は以下のように付記される。
（付記１）
ディスクアレイ装置、サーバシステムを含む信号伝送装置におけるケーブルを用いた接続において、使用されるケーブル長に合わせて最適なパラメータを自動的に設定することを特徴とするリピータ装置。
（付記２）
インターフェースチップ間にリピータとケーブルを接続した構成において、接続に用いたケーブル長を検出し、リピータに最適な伝送パラメータを設定することを特徴とするリピータ装置。
（付記３）
インターフェースチップからインターフェースチップの伝送パラメータを読み出し、予め用意されたテーブルを参照して、伝送パラメータからケーブル長を判定し、さらにケーブル長から設定すべきリピータ（関連）パラメータを決定し、決定されたリピータ（関連）パラメータを設定することを特徴とするリピータ装置。
【符号の説明】
【００６８】
１  カード、カード装置
２  カード、カード装置
３  ケーブル
１１  インターフェース（Ｉ／Ｆ）チップ
１３  ＣＰＵ
２１  インターフェース（Ｉ／Ｆ）チップ
２２  リピータチップ
２３  ＣＰＵ
２４  テーブル
８１  リピータ関連パラメータ格納部
８２  リピータ関連パラメータ決定部
８３  リピータ関連パラメータ設定部
【図１】
2018156143.tif 000003
【図２】
2018156143.tif 000004
【図３】
2018156143.tif 000005
【図４】
2018156143.tif 000006
【図５】
2018156143.tif 000007
【図６】
2018156143.tif 000008
【図７】
2018156143.tif 000009
【図８】
2018156143.tif 000010